(57)【要約】  【課題】  焼尽性に優れ、簡易な構成で製造し易く、破損の恐れがなく、充分な圧縮強度を有する薬剤充填容器を提供する。  【解決手段】  薬剤充填容器１は、外側筒１１が外周に沿って波打って底板１２で塞がれ、外側筒１１に挿入された内側筒１３が底板１２の中央で貫通し、外側筒１１、底板１２及び内側筒１３で仕切られた空間１４に薬剤１５が充填される焼尽性のケース１０と、空間１４を蓋いつつ外側筒１１及び内側筒１３の上端に嵌合する焼尽性のキャップ２０とからなっている。【選択図】          図１
2005140458.tif 000002
【特許請求の範囲】
【請求項１】
外側筒が外周に沿って波打って底板で塞がれ、該外側筒に挿入された内側筒が該底板の中央で貫通し、該外側筒、該底板及び該内側筒で仕切られた空間に薬剤が充填される焼尽性のケースと、該空間を蓋いつつ該外側筒及び該内側筒の上端に嵌合する焼尽性のキャップとからなることを特徴とする薬剤充填容器。
【請求項２】
前記波打っている波の筋方向が、外側筒の軸心方向と平行していることを特徴とする請求項１に記載の薬剤充填容器。
【請求項３】
ニトロセルロース、クラフトパルプ、合成樹脂を主成分とする焼尽性材料で、前記ケースと、前記キャップとの各々が、形成されていることを特徴とする請求項１に記載の薬剤充填容器。
【請求項４】
前記ケースと、前記キャップとの各々が、一体に圧搾成形されたものであることを特徴とする請求項３に記載の薬剤充填容器。
【発明の詳細な説明】
【技術分野】
【０００１】
本発明は、砲弾射撃の際、発射薬や点火薬を充填して、砲身に装填するために使用される焼尽性の薬剤充填容器に関するものである。
【背景技術】
【０００２】
大砲のような重火器の砲弾射撃の際には、薄層の高燃焼性素材製の容器に充填された発射薬や点火薬のような薬剤が砲尾の薬室内に装填され、その上に弾丸が載置される。この薬剤が点火されて爆発的な燃焼を引起し、その燃焼ガス圧力により弾丸が発射される。
【０００３】
薬剤を充填する容器は、例えば次のような特許文献１〜５に記載されたものが汎用されている。
【０００４】
【特許文献１】特公昭６２−３１２７６号公報
【特許文献２】特開平２−５００７７２号公報
【特許文献３】特開平４−３４７５００号公報
【特許文献４】特開平５−１１８７９３号公報
【特許文献５】特開平８−１２２０００号公報
【０００５】
従来の容器３１は、その一例を示す図４のとおり、中孔３６を有し外形が略円筒状であって複数の薄層の高燃焼性部材を接着や溶着により接合したもので、薬剤３５が充填されており、多数連結されているものもある。連結した容器３１のうち射撃に必要な数個だけ分断し砲身３２の薬室内に装填される。このような接着や溶着の操作、分断操作は煩雑である。
【０００６】
さらに、接合部位３３や連結部位３４は薄層の高燃焼性部材が、幾重にも積層している。また、容器３１と、砲身３２の薬室内壁との隙間が殆どないため、中孔３６を通じて、射撃の際の点火による燃焼の伝播や火炎の噴出しが起こるだけであり、容器３１の外周側から伝播や噴出しが起こり難い。そのため、容器３１が外周近傍で完全に燃焼できず、燃焼残渣が生じ易くなる結果、射撃する度に砲身を清浄する必要があり面倒であった。
【０００７】
そこで一層、簡易な構造で、簡便に製造できる焼尽性の薬剤充填容器が望まれていた。
【発明の開示】
【発明が解決しようとする課題】
【０００８】
本発明は前記の課題を解決するためになされたもので、焼尽性に優れ、簡易な構成で製造し易く、破損の恐れがなく、充分な圧縮強度を有する薬剤充填容器を提供することを目的とする。
【課題を解決するための手段】
【０００９】
前記の目的を達成するためになされた本発明の焼尽性の薬剤充填容器１は、実施例に対応する図１を参照して説明すると、外側筒１１が外周に沿って波打って底板１２で塞がれ、外側筒１１に挿入された内側筒１３が底板１２の中央で貫通し、外側筒１１、底板１２及び内側筒１３で仕切られた空間１４に薬剤１５が充填される焼尽性のケース１０と、空間１４を蓋いつつ外側筒１１及び内側筒１３の上端に嵌合する焼尽性のキャップ２０とからなっている。
【００１０】
外側筒１１が波打っていると、薬剤１５を充填した容器１を、砲身２に装填し点火する際に、比表面積が大きくなっていることと、砲身２との隙間の大きな部分が存在することとにより、燃焼の伝播、火炎噴出しや火炎回りが一層起こり易くなるので、容器１は、燃焼性が一層向上し、完全に焼尽する。
【００１１】
波打っている外側筒１１の波の筋方向が、外側筒１１の軸心方向と平行していると、その圧縮強度が大きくなるので、容器１は、薬剤１５が充填された後、積み重ねられて保管する際にも、また砲身２に幾つか重ねて装填されて射撃される際にも、変形し難くなる。
【００１２】
波打っている外側筒１１の波形は、任意の形状にすることができ、中でも正弦波、三角波、台形波、方形波、階段波の何れかの形状であることが好ましい。波間の間隔や波の高低差が大きくても小さくてもよい。
【００１３】
また、波打っている外側筒１１の波形は、図２のように間隔をおいて突き出している凸状リブ１６により形成された形状であってもよく、図３のように間隔をおいてへこんでいる凹状リブ１７により形成された形状であってもよい。
【００１４】
ケース１０と、キャップ２０との各々が、ニトロセルロース、クラフトパルプ、合成樹脂を主成分とする焼尽性材料で、形成されていることが好ましい。焼尽性材料は、必要に応じて安定剤、定着剤のような焼尽性添加剤が副成分として配合されたものであってもよい。
【００１５】
ケース１０と、キャップ２０との各々が、一体に圧搾成形されたものであることが好ましい。一体に成形されていると、数多の薄層の高燃焼性部材を接着したり溶着したりする煩雑な接合操作が必要ないうえ、接合による積層が殆どないので、完全に焼尽し易い。そのため射撃後に砲身内は、燃焼残渣が残留しないので、清浄である。
【００１６】
薬剤充填容器１は、焼尽性のケース１０と焼尽性のキャップ２０との二つの構成部材からなる簡便な構成であるので、製造し易く、歩留まりがよい。
【発明の効果】
【００１７】
本発明の薬剤充填容器は、ケースとキャップとからなる簡易な構成であるから、簡便に製造でき歩留まりがよく、安価に大量に製造できるうえ、多数を連結したり必要数を分離したりするという煩雑な操作が必要ない。また、自動装填することができる。
【００１８】
この容器は、焼尽性が優れ、破損の恐れがなく、充分な圧縮強度を有するため、砲弾射撃の際に、砲身に装填される発射薬や点火薬を充填するために、使用される。
【００１９】
さらに、この容器を用いて射撃した後、砲身内は清浄に維持されたままであるので、射撃する度に砲身を清掃する必要がない。
【発明を実施するための最良の形態】
【００２０】
以下、本発明の焼尽性の薬剤充填容器の実施例を詳細に説明する。
【００２１】
図１は、焼尽性の薬剤充填容器１の組立て途中の実施例を示す斜視図である。この容器１は、ニトロセルロースの６０重量部と、クラフトパルプの３０重量部と、合成樹脂の１０重量部とを主成分とする焼尽性材料を圧搾成形したもので、焼尽性のケース１０と、それに嵌合する焼尽性のキャップ２０とからなる。この容器１は、幅と高さとがほぼ同じの略円柱状である。
【００２２】
このケース１０は、略円筒状の外側筒１１が外周に沿って小刻みに約３０個の均等な正弦波形状で波打っており平坦な底板１２で塞がれ、この外側筒１１に挿入された円筒状の内側筒１３が底板１２の中央で貫通したものである。外側筒１１は、容器１が装填される砲身２よりも僅かに細い。内側筒１３は、外側筒１１の約１／６の太さである。外側筒１１と内側筒１３との高さはほぼ同じである。外側筒１１、底板１２及び内側筒１３で仕切られた空間１４には、薬剤である砲弾射撃用の発射薬１５が充填されている。
【００２３】
一方、このキャップ２０は、ケースの外側筒１１よりもやや太くてこの外側筒１１と嵌合するように同様に波打っている外側短筒２１が、平坦な蓋板２２で塞がれ、この外側短筒２１に挿入された円筒状でケースの内側筒１３よりもやや細くて内側筒１３と嵌合する内側短筒２３が、蓋板２２の中央で貫通したものである。
【００２４】
薬剤充填容器１は、以下のようにして使用される。
【００２５】
先ず、ケース１０の空間１４に発射薬１５を充填してキャップ２０をかぶせて押し込むと、余分な空気がその隙間から抜ける。ケース１０とキャップ２０とは、ちょうど嵌合し、引抜き難くなる。嵌合したケース１０の内側筒１３とキャップ２０の内側短筒２３とを介して、容器１の上下が吹き抜けている。
【００２６】
砲身２の砲尾から薬室内に、数個重ねたこの容器１と、さらにその上に砲弾とを、装填し、砲尾に付設されている閉鎖機により、砲尾を閉鎖する（不図示）。砲尾に設けられた火管を発火させると、最底の薬剤充填容器１の内にある発射薬の燃焼を誘起する。
【００２７】
発射薬１５の燃焼が開始した部位は非常に迅速に逐次、周りの発射薬１５の燃焼を誘発する。その結果、発射薬１５の燃焼は瞬時に爆発的な燃焼となって進行し、火炎や燃焼ガスの発生のために終には薬剤充填容器１が焼尽する。同時に、火炎等は、ケースの内側筒１３及びキャップの内側短筒２３の内孔と、ケースの外側筒１１及びキャップの外側短筒２１の波打ってできた間隙を吹き抜けて、さらに上に重ねられている薬剤充填容器１内の発射薬１５の爆発的な燃焼を順次惹き起す結果、砲弾が発射される。
【００２８】
薬剤充填容器１は、焼尽性であるため燃焼残渣を残さずに、完全燃焼する。そのため、砲身２内やそれの薬室内の壁面は汚染されることがなく清浄が維持される。砲弾発射後、閉鎖機を開け、同様の操作が、繰り返される。
【産業上の利用可能性】
【００２９】
本発明の薬剤充填容器を用いると、安全かつ円滑に、繰り返して砲弾射撃を行なうことができる。清掃操作が殆ど必要ないので、効率良く射撃できる。
【図面の簡単な説明】
【００３０】
【図１】本発明を適用する焼尽性の薬剤充填容器の組立て途中の実施例を示す斜視図である。
【００３１】
【図２】本発明を適用する焼尽性の薬剤充填容器の別な実施例を示す斜視図である。
【００３２】
【図３】本発明を適用する焼尽性の薬剤充填容器の別な実施例を示す斜視図である。
【００３３】
【図４】本発明を適用外の薬剤充填容器の実施の例を示す側面図である。
【符号の説明】
【００３４】
１は薬剤充填容器、２は砲身、１０はケース、１１は外側筒、１２は底板、１３は内側筒、１４は空間、１５は薬剤、１６は凸状リブ、１７は凹状リブ、２０はキャップ、２１は外側短筒、２２は蓋板、２３は内側短筒、３１は容器、３２は砲身、３３は接合部位、３４は連結部位、３５は薬剤、３６は内孔である。
【図１】
2005140458.tif 000003
【図２】
2005140458.tif 000004
【図３】
2005140458.tif 000005
【図４】
2005140458.tif 000006